(57)【要約】      （修正有）【課題】  磁性アタッチメントの取付けを容易にする中間メタルを提供する。【解決手段】  維持歯にマグネット又は磁性体を可撤式に固定するための中間メタル１０１，１０２，１０３であって、該中間メタルは、マグネット又は磁性体を固定するための皿状部１０ａ１，１０ａ２，１０ａ３を備え、該皿状部はマグネット又は磁性体を固定するための上部に突出するねじ部１０ｃ１，１０ｃ２，１０ｃ３を有する。【選択図】  図７
2005169140.tif 000002
【特許請求の範囲】
【請求項１】
維持歯にマグネット又は磁性体を可撤式に固定するための固定部を有する中間メタルであって、該固定部は、マグネット又は磁性体を固定するための内面にねじ部が形成されたカップ状の形状をなすことを特徴とする中間メタル。
【請求項２】
前記固定部は、上部に鍔部を有することを特徴とする請求項２に記載の中間メタル。
【請求項３】
請求項１に記載の中間メタルに固定されるマグネット又は磁性体であって、前記中間メタルの内面のねじ部に螺合するねじ部と前記鍔部に合致する頭部を有するマグネット又は磁性体。
【請求項４】
請求項１に記載の中間メタルに固定されるマグネット又は磁性体であって、固定のためのねじ部を別体にしたマグネット又は磁性体。
【請求項５】
維持歯にマグネット又は磁性体を可撤式に固定するための中間メタルであって、該中間メタルは、マグネット又は磁性体を固定するための皿状部を備え、該皿状部はマグネット又は磁性体を固定するための上部に突出するねじ部を有することを特徴とする中間メタル。
【請求項６】
前記皿上部の下面に維持歯の固定を強固にするための複数の突起を設けたことを特徴とする請求項５に記載の中間メタル。
【請求項７】
請求項５に記載の中間メタルに固定されるマグネット又は磁性体であって、前記中間メタルのねじ部に螺合するねじ孔を有するマグネット又は磁性体。
【発明の詳細な説明】
【技術分野】
【０００１】
本発明は、歯科の補修、補綴に用いる部材に関し、特に磁力を維持力として利用する磁性アタッチメントに関する。
に関する。
【背景技術】
【０００２】
現在、歯科の分野で、義歯等の補綴物を維持するために種々の方法が採用されている。従来より、機械的力を利用する方法が多く採用されていたが、近年になって、小型で強力な磁石が開発され、磁性アタッチメントが出現し、臨床応用されている。
【０００３】
磁性アタッチメントは、通常、義歯の側に装着されるマグネットと、鋳接等により根面板と一体化された後に維持歯に合着される磁性合金のキーパーとで構成される。
【０００４】
図２６は、従来の磁性アタッチメントを使用して義歯を装着する例を示すものである。義歯１５５は、人口歯１５７を有するレジン床１５６に磁性アタッチメントを構成するマグネット１５２が取り付けられている。また、維持歯となる歯根１５９には根面板１５３が合着され、その根面板１５３の上面には磁性ステンレスからなるキーパー１５１が埋設される。この構成により、義歯１５７は、そのマグネット１５２を維持歯側のキーパー１５１に磁力により吸着させて固定される。
【発明の開示】
【発明が解決しようとする課題】
【０００５】
磁性アタッチメントは、長期間使用してもその維持力が減衰しないこと、義歯の着脱時に支持歯に無理な力がかからなく着脱が容易であること等の利点を有する。しかしながら、磁性アタッチメントの義歯及び維持歯への取付けは、マグネットとキーパーとの位置を目算で行うため、正確な位置決めが困難で、その作業に熟練を要し、さらに、キーパーは根面板上面に埋め込むように取り付けるため、キーパーとマグネットを位置合わせする場合に、互いにずれが生じ易く正確な位置決めが困難であった。
【０００６】
さらに、キーパー及びマグネットの夫々の取付けに確実性が劣り、術後の脱落の報告も少なくない。
【０００７】
また、磁性アタッチメントは、ＭＲＩのような磁気を利用する生体計測に悪影響を及ぼす欠点があり、磁性金属のキーパー自体を可撤式、即ち、取り外し可能とすることが提案されているが、キーパーが根面板内に完全に包含される方式であり、包含する金属が必要とされるため、その分だけキーパーを小さくしなければならず、また、その取扱いも手間を有するという問題がある。
【０００８】
本発明は、上記問題点に鑑みなされたもので、磁性アタッチメントの一方を構成する部材であるアタッチメント雄部を、根面板又はインプラント本体より上部に突出させて固定し得る構造とすると共に、アタッチメント雄部自体を根面板又はインプラント本体に固定するための固定部分を設けるようにすることによってアタッチメント雄部の取付けを容易にし、一方、アタッチメント雌部をキャップ型の形状とすることにより、アタッチメント雌部の取付けを容易に理想的かつ確実にすることのできる磁性アタッチメントを得ることを目的とするものである。また、これらのことにより磁性アタッチメントの使用範囲を拡大することを目的とする。
【課題を解決するための手段】
【０００９】
上記課題は、本発明の以下の手段により解決される。
【００１０】
請求項1の発明は、維持歯にマグネット又は磁性体を可撤式に固定するための固定部を有する中間メタルであって、該固定部は、マグネット又は磁性体を固定するための内面にねじ部が形成されたカップ状の形状をなすことを特徴とする中間メタルである。
【００１１】
また、請求項２の発明は、前記固定部は、上部に鍔部を有することを特徴とする。
【００１２】
また、請求項3の発明は、請求項１に記載の中間メタルに固定されるマグネット又は磁性体であって、前記中間メタルの内面のねじ部に螺合するねじ部と前記鍔部に合致する頭部を有するマグネット又は磁性体である。
【００１３】
また、請求項４の発明は、請求項１に記載の中間メタルに固定されるマグネット又は磁性体であって、固定のためのねじ部を別体にしたマグネット又は磁性体である。
【００１４】
請求項５の発明は、維持歯にマグネット又は磁性体を可撤式に固定するための中間メタルであって、該中間メタルは、マグネット又は磁性体を固定するための皿状部を備え、該皿状部はマグネット又は磁性体を固定するための上部に突出するねじ部を有することを特徴とする中間メタルである。
【００１５】
また、請求項６の発明は、前記皿上部の下面に維持歯の固定を強固にするための複数の突起を設けたことを特徴とする。
【００１６】
また、請求項７の発明は、請求項５に記載の中間メタルに固定されるマグネット又は磁性体であって、前記中間メタルのねじ部に螺合するねじ孔を有するマグネット又は磁性体である。
【発明の効果】
【００１７】
上述の如く、本発明の中間メタルによれば、
また、本発明の中間メタルを使用することにより、マグネット又は磁性体を容易に可撤式に維持歯に固定することができる。
【００１８】
本発明の磁性アタッチメントによれば、磁性アタッチメントを構成する維持歯に取り付けられるアタッチメント雄部及び補綴物に取り付けられるアタッチメント雌部との吸着部が、アタッチメント雄部の頭部をアタッチメント雌部のキャップ部が覆うようになっているため、両者の位置決めが容易となり、アタッチメント雌部を補綴物に取り付ける際、容易に理想的かつ確実に取り付けることが可能となる。
【００１９】
また、本発明による磁性アタッチメント雌部のキャップをキャップ構造としているため、装着部位の状況及び目的に合わせて種々の材質や形状に変えることができ使用範囲を拡大することが可能である。
【００２０】
また、磁性アタッチメントの部材を、補綴部材を磁力により維持するために上部に突出した頭部を有する構造とすることにより、種々の形態の補綴物を装着することが容易となる。
【００２１】
なお、本発明による磁性アタッチメント部材は、キャップ構造の磁性アタッチメントの雌部を使用することなく使用することもできる。
【００２２】
さらに、磁性アタッチメント部材の固定部を可撤式にすることによって、ＭＲＩのような磁気を利用する生体計測に悪影響を及ぼすのを防止することが可能であり、しかも、可撤式のため、後日、設計変更が可能となる。
【００２３】
また、必要に応じてアタッチメント雄部を取り付けるにあたり、アタッチメント雄部を可撤式にするためのアタッチメント雄部と固定する固定部を有する中間メタルを使用することにより、アタッチメント雄部の取り付けを、種々の状況に応じて対応可能となる。
【００２４】
また、維持歯に固定される雄部と、雄部に吸着する雌部とからなる磁性アタッチメントの雄部を維持歯に固定する固定部と雌部を吸着する頭部とで構成し、雌部を雄部を覆うキャップ部を有する構成として印象採取に好適に利用できる磁性アタッチメントとすることができる。
【００２５】
また、本発明の磁性アタッチメントを使用することにより、簡単な工程により印象の採取が可能となる。
【発明を実施するための最良の形態】
【００２６】
以下、図面を参照して、本発明の実施の形態を説明する。
【００２７】
図１乃至図３は、本発明による磁性アタッチメントの基本的な実施形態を示すものである。本発明の磁性アタッチメントは、図１に示すキャップ付きマグネット２と図２に示すキーパー１とから成る。尚、キーパー１は、例えば、維持歯に固定される根面板やインプラントに取り付けられ、アタッチメント雄部となり、一方、義歯等補綴物に取り付けられるキャップ付きマグネット２はアタッチメント雌部を構成する。
【００２８】
キーパー１は、通常、磁性ステンレスからなり、マグネットを吸着する頭部１ａと根面板等に取り付けるための固定部１ｂを有している。
【００２９】
キャップ付きマグネット２は、マグネット３とキャップ４とが一体化されたものであるが、レジンを材料としてキャップを成形する際、マグネット３を一体に組み込んで成形して製造する。
【００３０】
マグネット３は円筒形状をなし、本実施形態では、直径４．５ｍｍ、厚さ１．５ｍｍを使用している。
【００３１】
キャップ４は、マグネット３の形状に適合するように平面形状が円形をなし、周縁部に下方に垂下する胴部４ａを有している。胴部４ａの内径はキーパー１の外径に通常は等しくされている。
【００３２】
図３は、図１に示したキャップ付きマグネット２を図２に示すキーパー１に装着した状態を示す。キーパー１はアタッチメント雄部としてアタッチメント雌部であるキャップ付きマグネット２のキャップの胴部４ａの内部に入り込み、マグネット３とキーパー１とが互いに磁力により吸着される。
【００３３】
尚、図３は磁性アタッチメントのキーパー（磁性体）１とキャップ付きマグネット（キャップ付き磁性体）２の吸着状態を示すもので、実際の歯科治療における、例えば、義歯の装着の場合は、先に示した図２６のように、キャップ付きマグネット（キャップ付き磁性体）２は義歯側に固定され、キーパー（磁性体）１は維持歯側に固定部１ｂにより取り付けられて使用されるものである。
【００３４】
次に図４及び図５に、本発明に磁性アタッチメントを既製のインプラントに適用した例を示す。なお、ここで示すインプラントとは、インプラント本体及びインプラント本体に必要な部材の一部がすべて固定されているものを示す。
【００３５】
図中、５はインプラントでチタンを材料として作られており、頭部５ａと、ねじ部５ｂとからなり、インプラント５は、そのねじ部５ｂにより骨に固定されるものである。尚、本発明によるキーパー１のねじ部１ａは、インプラント５のねじ孔５ｃに螺合する形状にしてある。
【００３６】
さらに、キーパー１の頭部１ａのねじ部１ｂ側の形状をインプラント５の頭部５ａの外形に合わせた形状としておくことにより、既製のインプラントに本発明の磁性アタッチメントを適用することができる。
【００３７】
図５は、図４に示したインプラント５に本発明によるキーパー１を固定し、このキーパ１に、同じく本発明によるキャップ付きマグネット２を義歯６に装着する状態を示すものである。尚、図５（ｂ）は、義歯６を装着した状態を示している。
【００３８】
キャップ付きマグネット２は義歯６のレジン床６ｂに通常、即時重合レジンを使用して固定されるが、ここで、このキャップ付きマグネット２の固定する方法の一例として、口腔内で固定する方法を述べる。
【００３９】
先ず、骨に固定したインプラント５にキーパー１を、そのねじ部１ｂをインプラント５の頭部５ａに形成したねじ孔５ｃにねじ込むことにより固定する。
【００４０】
次に、キャップ付きマグネット２を図３に示したような状態でキーパー１に吸着させる。このとき、キャップ付きマグネット２は、キャップ４の胴部４ａがインプラント５の頭部５ａ上に突出する状態で取り付けられたキーパー１に入り込むようにして装着されるため、簡単に正確に位置決めされて装着することができ、キーパー１に吸着されているマグネット３も位置がずれることがない状態で保持される。
【００４１】
次に、マグネットの取り付けられていない義歯のマグネット装着部分に即時重合レジンを入れ、義歯をそのマグネット取り付け部をキャップ付きマグネットの位置に合わせて載置し、指の押圧力あるいは顎の力を利用して押圧する。これにより、キャップ付きマグネットのキャップ４と義歯６のレジン床６ｂは即時重合レジンにより強固に固定される。マグネット３が固定された義歯６は、キーパー１に磁力により維持されているため、必要に応じて取り外すことができる。また、ＭＲＩによる生体計測を行うような場合には、必要に応じてキーパー１をそのねじ込みをはずすことにより取り除くことができる。さらに、外すことができるため後日、設計変更することも可能である。
【００４２】
上記義歯のマグネットの取付け方法によれば、完成した義歯のマグネット部周囲の形態を維持歯周囲の歯肉との関係において理想的に作製することができる。たとえば、義歯の取付けの際、キャップの胴部４ａによって、即時重合レジン等が図５（ｂ）の矢印（イ）で示すアンダーカット部分に入り込むことを防止することができる。
【００４３】
前記図４、図５においては、本発明の磁性アタッチメントを既製のインプラントを使用して義歯の装着に適用した例を示したが、本発明の磁性アタッチメントを現存する歯根に適用する例について述べる。
【００４４】
図６はキーパー１を直接、根面板に鋳接した図を示す。（ａ）は歯根１２の幅径がキーパー１の直径より小さい例を、（ｂ）はキーパー１の直径より大きい場合を示す。
【００４５】
さらに、キーパー１を歯根に合着される根面板に図６に示すように直接鋳接することもできるが、アタッチメント雄部の固定部をねじ式にしてそれに螺合するねじ孔を有する中間メタルを用いることによって容易にキーパー１を可撤式にすることができる。
【００４６】
図７に、本発明に磁性アタッチメントを天然歯に適用する際にアタッチメント雄部を可撤式にするために用いる中間メタル１０を示す。この中間メタル１０によりキーパー１を天然歯においても可撤式にすることが容易となる。中間メタル１０は、後述するように、天然歯に合着される根面板に埋め込むもので、アタッチメント雄部（キーパー１）を取り付けるために使用される。なお、ここではキーパーを可撤式にする例を示すが、マグネット及び磁性体を可撤式にすることも同様に可能である。
【００４７】
図７（ａ）に示す中間メタル１０1 は、頭部１０ａ1 及び脚部１０ｂ1 からなり、頭部１０ａ1 は、キーパー１1 の頭部１ａ1 の下部の形状に合致する外形を有する。また、頭部１０ａ1 には、キーパー１1 のねじ部１ｂ1 をねじ込むためのねじ孔１０ｃ1 が形成されている。また脚部１０ｂ1 には凹凸１０ｄを設けることにより、根面板に埋め込んだ際、結合を強固にするためのものであり、必要に応じて設ける。
【００４８】
図７（ｂ）は中間メタルの他の実施例を示し、中間メタル１０2 は上部に突出する雄ねじ部１０ｃ2 を有する偏平な皿状部１０ａ2 からなる。皿状部１０ａ2 の下面にはこれを根面板等に埋め込んだ際、結合を強固にするための突起１０ｄ2 を形成することができる。この中間メタル１０2 に固定されるキーパー１2 は、中間メタル１０2 の雄ねじ部１０ｃ2 に螺合するねじ孔１ｂ2 が形成れている形状とされたものが使用される。
【００４９】
図７（ｃ）は、他の中間メタル１０3 を示し、内面にねじ部１０ｃ3 が形成され、上部に鍔部１０ａ3 を有するカップ状の形状とされている。この中間メタル１０3 に固定されるキーパー１3 は中間メタル１０3 の内面のねじ部１０ｃ3 に螺合する雄ねじ部１ｂ3 を有し、鍔部１０ａ3 に合致する頭部１ａ3 を有する。  図７（ａ）〜（ｃ）に示すように中間メタルは、これが固定される根面板の状態やその形状、さらに使用するキーパーの形状に合わせて  種々の形状とすることができる。
【００５０】
図８、図９は中間メタル１０を埋め込んだ根面板１１を示す。この根面板１１は、通常の歯科用金属を使用し、歯根１２に形成した凹所１２ａに合着されるものである。この製造は、歯根１２の凹所１２ａをワックス等で型取りして中間メタル１０を組み込んだ状態で鋳造し、中間メタル１０を鋳接することにより製造する。  中間メタル１０を一体化した根面板１１は、歯根１２の凹所１２ａに合着材により合着される。尚、図８（ｂ）、図９（ｂ）は、キーパー１を中間メタル１０を介して歯根に取り付けた状態を示す。
【００５１】
このようにして取り付けられたキーパー１に、先に述べたように本発明のキャップ付きマグネットを使用して義歯等を装着することができる。尚、図９は歯根の幅径が中間メタル１０の直径より大きい症例に応用したものである。
【００５２】
本実施例によれば、キーパーの種類に応じて中間メタルを用意しておくことにより、種々の状態の歯根にキーパーを取り付けることが可能となる。
【００５３】
図１０は、中間メタル１０を他の方法により歯根への取り付けた例を示すものである。中間メタル１０は歯根１２の凹所１２ａ内で直接にレジン等１４を用いて最上部に中間メタル１０を埋め込んだ状態で固定させるものである。
【００５４】
図１１は、図８に示すようにして歯根１２に中間メタル１０を利用して取り付けたキーパー１に本発明による磁性アタッチメントのキャップ付きマグネット２を装着した状態を示すものである。図１１ｂに示すように、キーパー１にキャップ付きマグネット２がマグネット３により磁力により吸着している。
【００５５】
図示のように、本発明によるキーパー１は、根面板１１の上面に突出した状態で取り付けられていることとなる。一方、これに取り付けられるキャップ付きマグネット２は、キャップの胴部４ａがキーパー１を覆うようにして装着され、これ  により、マグネット２をキーパー１に対して正確に位置決めし、その状態を保持することができる。
【００５６】
尚、本実施例においても、磁性アタッチメントを義歯の装着に適用する場合には、前述の図５により述べた方法と同様の方法により、義歯のレジン床にキャップ４を固定させてマグネットが取り付けられた義歯を得ることができる。
【００５７】
義歯をキャップ付きマグネット２と接着する際、通常、義歯のマグネット装着部に即時重合レジンを流すこととなるが、キャップ４の胴部４ａが歯根１２や根面板、中間メタルを覆っているため、即時重合レジンが例えば符号１４で示す空所に入り込んでしまうことを防ぐことができる。
【００５８】
図１２は、義歯にマグネットを取り付ける場合、キャップ付きマグネットを使用した場合（ａ）と使用しない場合（ｂ）を対比するための図である。
【００５９】
図１２ａに示すように、キャップ付きマグネットを使用して義歯を取り付けた場合は、義歯のレジン床６ａとマグネットのキャップ４とが理想的に取り付けられている。これに対して、図１２ｂに示すキャップのないマグネットを取り付けた場合は、例えば、即時重合レジン等が歯根１２や中間メタル１０や根面板１１のアンダーカット部１４に入り込んで取り付けられたり、歯根１２や中間メタル１０または根面板１１と歯肉１３との間に不必要な空隙１６が生じて取り付けられたりする場合がある。
【００６０】
磁性アタッチメントのマグネットとしてキャップ付きマグネットを用いることにより、図１２（ａ）に示すように上記問題点は解決される。
【００６１】
次に、本発明による磁性アタッチメントのうち、アタッチメント雄部となるキーパーの形状の種々の実施形態を図１３に示す。
【００６２】
図１３（ａ）は高さｈの高いキーパー２０、（ｂ）は高さｈの低いキーパー２１を示している。高さの高いキーパー２０は、いわゆる積極的維持装置として用いる場合に使用し、低いキーパー２１は、いわゆる守りの維持装置として使用する場合に使用するのに適している。
【００６３】
その他、キーパーを取り付ける維持歯等の状況や使用目的により、種々の形状のキーパーが考えられる。図（ｃ）のキーパー２２は、キーパー側面に傾斜を持たせたもの、図（ｄ）のキーパー２３は側面を湾曲形状としたもの、図（ｅ）のキーパー２４は上面を球形状にしたものであり、より有害な負荷を逃すように、維持歯の状況や使用目的に応じてキーパーの形状を選択することができる。尚、図（ｆ）は図（ｅ）のキーパー２４を使用した場合に使用するマグネット２５を示すもので、キーパーとの当接面をキーパーの外面と合致する形状としたものであるが、球状にした場合、吸着面が広くなり吸引力が増すと考えられる。
【００６４】
次に、本発明による磁性アタッチメントのうち、アタッチメント雌部のキャップ４の形状の種々の実施形態を示す。
【００６５】
図１４（ａ）は、キーパーをしっかりした状態で覆うようにしてあり、いわゆる積極的維持装置としての使用に適している。
【００６６】
図（ｂ），（ｃ）は、キャップの胴部に傾斜を持たせたの、湾曲形状を持たせたものの例で、いわゆる守りの維持装置としての使用に適している。
【００６７】
また（ｄ）に示すものは、キャップ３３の胴部３３ａとキーパー１の側面との間に若干の間隙を持たせるよにしたもので、このようにすることにより、キャップに作用する側方力をより開放するこができる。さらに（ｅ）に示すものはキャップ３４の内部にスペーサ３４ｂを取付けておき、キーパー１より浮かしてキャップを覆い、キャップ３４を補綴物と接着した後スペーサ３４ｂを削除することによって垂直荷重も緩圧することを期待したものである。尚、（ｆ）はキーパー２４を使用した場合のキャップ３５を示すものである。キャップ３５以外のキャップ３０、３１、３２、３３、３４はキーパー２０、２１、２２、２３の夫々に応用できる。これらは、維持歯の状況や使用目的に応じて選択することができる。
【００６８】
以上、キャップ付きマグネットのキャップについて種々の変形例を示したが、キャップの材料については、これまで、レジンとして説明したが、キャップの材料を変えることにより、種々の使用目的や、維持歯の状況に対応して応用することができる。たとえば、キャップを弾性材料とすることにより、垂直的荷重の緩圧効果も発揮し、歯根あるいはインプラントと粘膜との被圧変位の差を補う緩圧効果を期待することができる。
【００６９】
図１５は、本発明の磁性アタッチメントのマグネットの他の変形例を示すものである。この例においては、キャップ付きマグネット４０は、マグネット４１を金属製のキャップ４２と一体に形成したもので、このキャップ状のマグネット４０をキーパー４３と組み合わせていわゆる積極的維持装置として使用するこができる。
【００７０】
図１６は、図１５に示した磁性アタッチメントをクラウン４５の装着に適用した例を示すものである。図１６（ａ）はインプラント５に適用する場合を示し、図１６（ｂ）は歯根１２に取り付けた根面板１１に中間メタル１０を使用してクラウン４５を装着する例を示している。
【００７１】
クラウン４５はキャップ付きマグネット４０と適宜の合着材により合着して、容易に可撤式のクラウンとすることができる。同様に可撤式のブリッジも容易に製作することが可能である。
【００７２】
図１７は、本発明の磁性アタッチメントの他の変形例を示す。
【００７３】
これまで述べてきた磁性アタッチメントは、キーパーがアタッチメント雄部の形状をなし、キャップ付きマグネットがアタッチメント雌部をなすものであった。本変形例では、この結合関係を逆にしたものである。即ち、マグネット５２は支持部材５１に取り付けられており、支持部材５１は、頭部５１ａ及びねじ部５１ｂからなり、例えば、インプラントあるいは根面板等にねじ込み固定して、アタッチメント雄部をなす。一方、キーパー５０はキャップの形状をなすものでアタッチメント雌部となるもので、マグネットと接するところは磁性ステンレスでその他の部分は磁性ステンレスでない金属でもよい。キャップ型のアタッチメント雌部材は金属製であり、可撤式のクラウンやブリッジの応用に適している。
【００７４】
この変形例を用いることによって、さらに応用範囲が広がる。即ち、たとえばクリアランスの無い症例においても、吸着力の強い大きめのマグネットを利用することができる。
【００７５】
更に、クラウン、ブリッジを直接アタッチメント雌部（キーパー側）と鋳接することができるため、精度を上げることができる。特に、インプラントにおいては雌部によってマージン部を既製に製作できるため、精度が非常に高い、可撤式クラウンブリッッジが製作できると考えられる。天然歯においても、中間メタルを用いることによって、同様に応用可能であると考えられる。
【００７６】
図１８は図１７に示した磁性アタッチメントをクラウン４６の装着に適用した例を示すものである。図１８（ａ）は、インプラントに適用した例、（ｂ）、（ｃ）は根面板１１に中間メタル１０を介して支持部材５１を取り付けたもので、（ｂ）は中間メタル１０の直径が歯根幅より大きい場合、（ｃ）は、歯根幅より小さい場合の例である。
【００７７】
クラウン４６はアタッチメント雌部と鋳接により接続される。マグネットは熱に弱いためこれまで述べてきた磁性アタッチメントは雌部にマグネットがあったため、雌部を鋳接することはできなかったが、この変形例は逆にすることによって鋳接も可能となった。
【００７８】
図１９は図１８に示す各例のクラウン４６を外したころを示す。
【００７９】
図２０は、図１７と同様にキーパーを雌型にマグネットを雄型とした他の例を示している。この場合、マグネット支持部材６１を円みを有する凸状または球状として形成し、その中にマグネット６２を埋設したものである。また、アタッチメント雌部６０はマグネット支持部材６１の外形に合った形状となっており、全てまたは一部が磁性ステンレスからなる。このような形状とする磁性アタッチメントは、いわゆる守りの維持装置としての使用に適しているものである。このことにより吸着面が増し、さらに補綴物着脱時の指向性をさらになくすことができる。そのため、維持歯の方向が悪い場合や指向性の強い維持装置との併用での使用も容易に可能となる。
また、クラウン、ブリッジ及びオーバーデンチャーに応用可能である。
【００８０】
以上、磁性アタッチメントを歯の補綴物の装着に適用するものについて述べてきたが、次に、磁性アタッチメントを利用して、歯の印象を採取する方法について述べる。
【００８１】
歯科において例えば、歯の治療に使用する義歯やクラウンやブリッジ等を製作する場合に、口腔内の歯形の印象を採取する必要がある。精度を上げた印象を採取する場合には複雑な過程を経なけらばならない。本発明者は、磁性アタッチメントを使用することによりこれまで複雑な過程を経ていた印象の採取をきわめて簡単な方法で行うことを見出した。以下に磁性アタッチメントを利用した印象採取方法についてインプラントを用いた場合を例にして述べるが天然歯にも適用可能である。なお、ここでは雄部に磁性材、雌部にマグネットを用いた例で述べるが他の方式でも適応できる。
【００８２】
図２１の（ａ）〜（ｈ）は、磁性アタッチメント使用して印象採取を行う例を示すもので、ここでは、（ａ）口腔内にインプラントが固定された状態を印象材及び石膏を用いて（ｈ）に示す歯型モデルを作成する手順を示す。
（ａ）は口腔内において歯肉１００にインプラント１０１が固定された状態を示している。先ず、（ａ）に示すように、このインプラント１０１に１０２で示す磁性アタッチメント雄部１０２をそのねじ部１０２ｂをインプラント１０１のねじ孔１０１ｂにねじ込むことにより固定する。
【００８３】
次に、（ｂ）に示すように、磁性アタッチメント雄部１０２にマグネットを有するキャップ型の磁性アタッチメント雌部１０３を装着する。磁性アタッチメント雌部１０３は磁性アタッチメント雄部１０２と磁力により固定される。
【００８４】
次に、磁性アタッチメント雄部１０２と雌部１０３が固定された口腔内のインプラント１０１上に、（ｃ）に示すよに、トレイ１０５に載せた印象材１０６を覆うようにして供給し、印象材が固化するまでその状態を保つ。
【００８５】
印象材１０６が固化した後、歯肉１００及びインプラント１０１より取り外すと（ｄ）に示すように、磁性アタッチメント雌部１０３が印象材に埋め込まれた状態の口腔内のマイナスの型が得られる。
【００８６】
次に、（ｅ）に示すように、印象材１０６に固定された磁性アタッチメント雌部１０３に、予め用意しておいたインプラント１０１と同一のモデル（アナログ）１１０に、インプラント１０１に固定した磁性アタッチメント雄部１０２と同一又は同一形状である磁性アタッチメント雄部１０２1 を固定したものを磁力を利用して固定する。
【００８７】
次いで、インプラントモデル１１０が固定された印象材の型に、（ｆ）で示すように、流動状の石膏１１５を供給し、これを固化させる。
【００８８】
石膏１１５が固化した後、これを印象材１０６から取り外すと、（ｇ）で示すように、磁性アタッチメント雄部１０２1 が固定されたインプラントモデル１１０が埋設された石膏による型が得られる。
【００８９】
そして、この石膏の型に固定されたインプラントモデル１１０よりねじ込みされた磁性アタッチメント雄部１０２1 を取り外し、（ｈ）の状態のものを得る。  この（ｈ）の状態の型は、（ａ）に示すインプラント１０１が固定された口腔内の状態と同一の状態を再現したモデルである。このモデルは、例えば、インプラント１０１に装着する義歯、クラウンあるいはブリッジの製作に利用される。  従来のこの種の印象の採取は、印象用コーピングというインプラントに適合するねじ付き部品を使用し、これらをインプラントあるいは印象材供給用のトレイとねじにより取り付けたり、あるいは取り外したりするなど、複雑な工程を経て行っていた。本発明においては、上述のように、磁性アタッチメントを利用することにより、きわめて簡単な工程で印象を得ることが可能となる。
【００９０】
以上、磁性アタッチメントを利用した歯の義歯、クラウンなど補綴部の装着と、印象の採取について述べていたが、ここで、磁性アタッチメントを構成する部材の他の実施例についてインプラントを用いた場合を例にしてさらに説明する。なお、天然歯にも適用可能である。
【００９１】
図２２は、斜めの状態で固定されたインプラントに適用する場合の磁性アタッチメントを示す。この場合、インプラント側に固定される磁性アタッチメント雄部１２１は、その上面１２１ａが固定された状態でほぼ水平となることが通常望ましい。本例の磁性アタッチメント雄部１２１は別部材である取付けねじ１２１ｂによりインプラント１２０に固定されるが、磁性アタッチメント雄部１２１の形状は図示のようにその上面１２１ａが、インプラント１２０の長手方向の軸に対して所定の角度を有する形状とされている。なお、この磁性アタッチメント雄部１２１に装着される磁性アタッチメント雌部１２２を利用する場合は、そのマグネットを有する内側面が磁性アタッチメント雄部１２１の上面１２１ａに密着するようにされている。
【００９２】
このように、磁性アタッチメント雄部の雄部の形状を変えることにより、固定されるインプラントが垂直でないものであっても支障が生じないないようにすることができる。
【００９３】
図２３は、磁性アタッチメント雄部の他の実施例を示す。本例では、アタッチメント雄部１２５がカップ状の形状ななしている。そして、このアタッチメント雄部の取付けは仮着材を用いてもよいがねじ１２５ａを用いることもできる。本例のカップ形状のアタッチメント雄部１２５は、インプラントの頭部が突出しているものか、インプラントに突出した部材がすでに固定されている場合や天然歯にもに有効である。
【００９４】
図２４は、維持歯に固定され補綴部材を磁力により維持する部材の代表的なものを示している。（ａ）に示すアタッチメント雄部１３０は、雄部本体の上面１３０ａと下面１３０ｂが平行となっている標準的な形状を有するものを示す。（ｂ）のアタッチメント雄部１３１は、前述の図２２で説明した場合のように、斜めに固定されている維持歯に固定するのに適した形状となっている。（ｃ）に示す磁性アタッチメント雄部１３２は、雄部本体と固定用のねじ部が一体に形成されたているものである。
【００９５】
なお、以上述べたすべての形状において、必要に応じて溝、あるいは凹凸を形成して回転を防止するようにすることもできる。
【００９６】
図２５は、維持歯に固定され補綴部材を磁力により維持する部材の材料について種々の形態を示す。なお、図１５（ａ）〜（ｅ）において、斜線部分は、磁性体又はマグネット部分（以下、ここでは単に「磁性体」という）を表している。（ａ）に示すアタッチメント雄部１４０は全体が磁性体で形成されている。（ｂ）のアタッチメント雄部１４１は、固定部分は非磁性体の金属を使用し、上面のみを磁性体で形成している。（ｃ）のアタッチメント雄部１４２は、取付け用のねじを別体としたものであるが、アタッチメント本体部分に磁性体を使用した例である。なお、ねじ部においても磁性体を使用することができる。
【００９７】
（ｄ）のアタッチメント雄部１４３は、上面又は一部の側部を磁性体で形成し、取付け用ねじは非磁性体で構成したものである。
【００９８】
（ｅ）に示すアタッチメント雄部１４４は、本体の上部と取付けねじの頭部のみを磁性体で形成している。上記の例のうち、（ｂ）、（ｄ）、（ｅ）のように部分的に磁性体で形成し、取付け部分を非磁性体で形成することにより、耐腐蝕性を高めることができる。
【００９９】
（ｆ）のアタッチメント雄部１４４は、耐腐蝕性を高める手段として、アタッチメント雄部１４５の下面部分及び取付けねじ部分の表面に耐腐蝕性を有する金属被膜を施したものである。また、同様に（ｇ）に示すアタッチメント雄部１４６は、アタッチメント本体の下面部分及び別体の取付けねじの頭部表面を除く外表面に耐腐蝕性の金属被膜を施しているものである。この例では、金属の接触から生ずるすきま腐蝕を防ぐことができる。
【０１００】
以上、天然歯やインプラントに固定される雄部と、これに磁力により吸着される雌部とからなる歯科における補綴物の装着に使用される磁性アタッチメントと、印象採取するための磁性アタッチメントの使用方法について述べてきた。そしてそれらの具体例においては一部の例（図１７乃至図２０）を除き、雄部において少なくとも一部に磁性体（キーパー）を有し、雌部において少なくとも一部にマグネットを有する方式としたものである。しかしながら、本発明による磁性アタッチメントはこれらに限るものでなく、雄部において少なくとも一部にマグネットを有し、雌部において少なくとも一部に磁性体を有する方式、
雄部において少なくとも一部にマグネットを有し、雌部においてくなくとも一部にマグネットを有する方式においても、以上最初より述べてきたすべてにおいて適用可能である。
【０１０１】
また、キャップを構成する材料は、これまで具体的に述べたように、レジンや金属の他弾性部材も使用することが可能である。
【０１０２】
さらに、磁性アタッチメントの雄部は、常にキャップ構造を有する雌部と対にして使用する例について述べてきたが、これらに限ることなく、最初より述べてきたすべてにおいてキャップ構造を有しない、マグネット部材あるいは磁性体を磁力により維持する部材としても使用できる。
【０１０３】
上述の如く、本発明の磁性アタッチメントによれば、以下のごとき種々の利点が得られる。
【０１０４】
（１）維持歯側に固定する部材である雄部の形態を変えることにより、症例にあった磁性アタッチメントとすることができる。
【０１０５】
（２）雄部を既製のインプラントに固定できるように製作することにより、容易にインプラントにおいて、磁性アタッチメントを応用できる。
【０１０６】
（３）雄部の固定部を可撤式にすることによって、雄部を可撤式とすることが可能となり、ＭＲＩに及ぼす影響防止、さらには、後日、設計変更が可能となる。
【０１０７】
（４）雄部の固定部をネジ式とし、それに螺合するネジ孔を有する中間メタルを製作することにより、天然歯にいても、雄部可撤式磁性アタッチメントをよういに作成することができる。
【０１０８】
また、アタッチメント雌部の利点として、
（５）雄部と雌部がキャップにより定められた位置に吸着するようになっているため容易に正確にかつ確実に、雌部を補綴物に取り付けることができる。
【０１０９】
（６）予めキャップとマグネットが一体化しているため、マグネットの脱落をより少なくするこができる。
【０１１０】
（７）オーバーデンチャーにおいては、キャップ部を長くすることによって、雌部を義歯に取り付ける際、レジン等が余分な部分に流れことを防止することができる。更に、マグネット部周囲の形態を容易に理想的に作製することができる。
【０１１１】
（８）キャップの形態を変えることにより、有害な負荷の緩圧効果を調節することができる。
【０１１２】
（９）キャップを弾性材料とすることにより垂直及び側方荷重の緩圧効果をさらに得ることができる。
【０１１３】
（１０）キーパーの高さを高くして積極的維持装置にし、それにあったキャップ付きマグネットを用意しておくことにより、容易に可撤式クラウン、ブリッジとすることができる。
【０１１４】
（１１）雄部にマグネット、雌部にキーパーを有すようにすることにより、磁性アタッチメントの応用範囲を広げることができる。例えば、クリアランスのない症例においても、吸着力の強い大きめのマグネットを使用できる。また、クラウン、ブリジを直接雌部（キーパー側）と鋳接することができるため、精度を上げることができる。
【０１１５】
（１２）斜めの状態である維持歯に適用することができる。
【０１１６】
（１３）維持歯側に固定する雄部の腐蝕の生じ易い部分を耐蝕性金属で形成したり、耐蝕性の材料でコーティングしたりするこにより、雄部のすきま腐蝕を防止することができる。
【０１１７】
（１４）従来の精度を上げた印象を採取する方法として印象用コーピングを使用したり、これらをねじにより取り付けたりするなど、複雑な工程を経て行う方法もあるが、本発明による磁性アタッチメントを利用することにより、きわめて簡単な工程で印象を得ることが可能となる。
【０１１８】
上述の如く、本発明の磁性アタッチメントによれば、雄部を頭部を有す構造とし、雌部を雄部の頭部を覆うキャップ部を有する構造とすることにより、両者の位置合わせを確実に行うことが可能となる。
【０１１９】
また、本発明による磁性アタッチメント部材として、補綴部材を磁力により維持する上部に突出する頭部を有する構造とすることにより、磁性アタッチメントの雌部を介してのみならず、種々の形態の補綴物、例えば、義歯、ブリッジ、クラウン等を磁力により維持することが容易となるとともに応用範囲を拡大できる。
【０１２０】
また、本発明の中間メタルを使用することにより、マグネット又は磁性体を容易に可撤式に維持歯に固定することができる。
【０１２１】
また、磁性アタッチメントを印象採取に利用することにより、簡単な工程で、精度を上げた印象を採取することができる。
【図面の簡単な説明】
【０１２２】
【図１】本発明による磁性アタッチメントのキャップ付きマグネットの基本的な実施形態を示す図である。
【図２】本発明による磁性アタッチメントのキーパーの基本的実施形態を示す図である。
【図３】磁性体（キーパー）にキャップ付き磁性体（キャップ付きマグネット）を装着した状態を示す図である。
【図４】キーパーをインプラントに取り付け図を示し、（ａ）は取り付け前の状態、（ｂ）は取り付けた状態を示す図である。
【図５】本発明による磁性アタッチメントを使用してインプラントに義歯を装着する状態を示す図である。
【図６】キーパーを直接根面板に鋳接した図である。
【図７】キーパーの取り付けに使用する中間メタルを示す図である。
【図８】中間メタルが取り付けられた根面板を歯根に合着した図である。
【図９】歯根の幅径が中間メタルの直径より大きい症例を示す図である。
【図１０】レジンにより歯根に中間メタルを取り付けた状態を示す図である。
【図１１】中間メタルに取り付けたキーパーにキャップ付きマグネットを装着した図である。（ａ）はキャップ付きマグネットを示し、（ｂ）はキャップ付きマグネットが装着された状態を示す図である。
【図１２】（ａ）本発明による磁性アタッチメントを使用して義歯にマグネットを装着した状態を示す図である。（ｂ）はキャップのないマグネットを使用して義歯にマグネットを装着した状態を示す図である。
【図１３】本発明による磁性アタッチメントのキーパーの変形例を示す図である。（ａ）〜（ｅ）は夫々頭部の形状を変化させたキーパーを示す。（ｆ）はマグネットの変形例を示す図である。
【図１４】キャップ付きマグネットの変形例を示す図である。
【図１５】金属製キャップと一体化したマグネットを使用する例を示す図である。
【図１６】金属製マグネット付きキャップを使用してクラウンを装着する例を示す図である。
【図１７】磁性アタッチメント雄部にマグネット、磁性アタッチメント雌部にキーパーを用いた図である。
【図１８】図１７に示した磁性アタッチメントを用いてクラウンを装着する例である。
【図１９】図１８に示す例のクラウンを外した状態を示す図である。
【図２０】磁性アタッチメント雄部にマグネット、磁性アタッチメント雌部にキーパーを用いた他の例を示す図である。
【図２１】磁性アタッチメントを使用して印象を採取する工程を示す図である。
【図２２】斜めに固定されたインプラントに取付けられる磁性アタッチメントの例を示す図である。
【図２３】カップ形状の磁性アタッチメント雄部を示す図である。
【図２４】磁性アタッチメントの雄部の代表的形状を示す図である。
【図２５】磁性アタッチメント雄部を構成する材料について種々の形態を示す図である。
【図２６】従来の磁性アタッチメントの使用例を示す図である。
【符号の説明】
【０１２３】
１、１０２  磁性体（マグネット又は磁性材料）
２  キャップ付き磁性体
３  磁性体
４  キャップ
５、１０１  インプラント
６  義歯
１０  中間メタル
１１  根面板
１４  レジン
１０５  トレイ
１０６  印象材
１１０  アナログ
１１５  石膏
【図１】
2005169140.tif 000003
【図２】
2005169140.tif 000004
【図３】
2005169140.tif 000005
【図４】
2005169140.tif 000006
【図５】
2005169140.tif 000007
【図６】
2005169140.tif 000008
【図７】
2005169140.tif 000009
【図８】
2005169140.tif 000010
【図９】
2005169140.tif 000011
【図１０】
2005169140.tif 000012
【図１１】
2005169140.tif 000013
【図１２】
2005169140.tif 000014
【図１３】
2005169140.tif 000015
【図１４】
2005169140.tif 000016
【図１５】
2005169140.tif 000017
【図１６】
2005169140.tif 000018
【図１７】
2005169140.tif 000019
【図１８】
2005169140.tif 000020
【図１９】
2005169140.tif 000021
【図２０】
2005169140.tif 000022
【図２１】
2005169140.tif 000023
【図２２】
2005169140.tif 000024
【図２３】
2005169140.tif 000025
【図２４】
2005169140.tif 000026
【図２５】
2005169140.tif 000027
【図２６】
2005169140.tif 000028